(57)【要約】【課題】帯本体に帯姿を取付けた簡易型帯であって、素人であってもベルト感覚で手軽に締めることが出来、一旦締めた帯は位置ズレしたり緩むことがない簡易型帯の提供。【解決手段】帯本体１の一方側端と背中部に位置する箇所には伸縮可能な補助バンド３ａ，３ｂを取付けると共に、両補助バンド３ａ，３ｂは連結金具５を介して連結することが出来る。そして帯姿２を取付けた背中部には帯本体１の一部を折り返して長さ調整部４を設け、又帯本体１の背中部には硬くて弾性のあるパネル７を取付けている。さらに補助バンドを連結しない帯本体１の先端部内側には粘着テープ８ａを設けると共に、帯本体１を胴に巻き付けて先端部を固定する為に帯姿２が取付けられる背中部表側に粘着テープ８ｂを設けている。【選択図】        図１
2005054291.tif 000002
【特許請求の範囲】
【請求項１】
帯本体に帯姿を取付けた簡易型帯において、該帯本体の一方側端と背中部に位置する箇所には伸縮可能な補助バンドを取付けると共に、両補助バンドは連結具を介して連結することが出来、そして帯姿を取付けた背中部には帯本体の一部を折り返して長さ調整部を設け、又帯本体の背中部には硬くて弾性のあるパネルを取付け、さらに補助バンドを連結しない帯本体の先端部内側には粘着テープを設けると共に、帯本体を胴に巻き付けて先端部を固定する為に帯姿が取付けられる背中部表側に粘着テープを設けたことを特徴とする簡易型帯。
【請求項２】
帯本体の背中部に上記長さ調整部を設けないようにした請求項１記載の簡易型帯。
【請求項３】
上記帯姿を帯本体に引っ掛けて取付け可能とした請求項１、又は請求項２記載の簡易型帯。
【発明の詳細な説明】
【０００１】
【発明の属する技術分野】
本発明は素人であってもベルト感覚で装着できるワンタッチ方式の簡易型帯に関するものである。
【０００２】
【従来の技術】
帯は着物と対を成して使用され、首の部分から裾に至って１枚で仕立てられている着物を上手に着用することは容易でなく、同時に帯においても一本の長い丈のものを胴に巻き付けて背中の見え難い場所で結ぶということが非常に難しい。
これは着物を着付ける以上に困難であるとされ、一般には専門の人に着付けてもらうのが常である。その為に日本独自の着物でありながら、特別な行事以外に常日頃着用することが出来ない理由がここにある。
【０００３】
そこで、従来では「文化帯」や「作り帯」と称される簡易型帯も知られているが、上記作り帯にしてもベルト感覚で締めることは出来ない。該「作り帯」は所定の長さの帯を胴に巻き付けて紐で縛り、背中に形作られた帯姿を引っ掛けて出来上がる。又紐の代わりにマジックテープ（粘着テープ）にて帯の両端を固定することも出来る。
【０００４】
このような「作り帯」は正式な着物用ではなく、浴衣用の帯として利用されることが殆どである。そして浴衣を着て長時間歩いたり、少なくとも一般の着物を着用する場合に比較して体を動かすことが多く、その為に一旦締めた帯が途中で緩んでしまう。又、帯の位置がズレてしまうことが多い。
【０００５】
【発明が解決しようとする課題】
このように、従来の簡易型帯には上記のごとき問題がある。本発明が解決しようとする課題はこの問題点であり、素人であってもベルト感覚で手軽に締めることが出来ると共に、一旦締めた帯は位置ズレしたり、緩んだりすることがない簡易型帯を提供する。
【０００６】
【課題を解決する為の手段】
本発明の簡易型帯はベルト感覚で締めることが出来るように構成している。そこで、この簡易型帯の特徴は次の通りである。
（１）胴に巻き付ける帯本体は一定幅で一定長さを有している。ここで、帯本体の生地質は問わない。
（２）伸縮可能な２本の補助バンドを有している。一方の補助バンドは帯本体の一方側先端に連結され、他方の補助バンドは帯本体を胴に巻き付けた際に背中に位置する箇所に連結している。そして、補助バンドの先端には連結具が取付けられて両補助バンドの先端は連結される。
【０００７】
（３）帯本体の背中に位置する箇所には硬くて弾性のあるパネルを取付けている。
これは、背中の帯姿を安定させる為であると共に、通常の帯を締めたと同じような感覚を得る為である。
（４）帯本体には一部を折り曲げて縫い付けている長さ調整部が必要に応じて設けられ、胴回りが大きな人は、該調整部を解除して長くすることが出来る。
（５）帯を締めた際に背中に装着される帯姿は、帯本体に固定する場合、又は帯本体から分離した帯姿を引っ掛けて装着する場合の何れでもよい。
以下、本発明に係る実施例を図面に基づいて詳細に説明する。
【０００８】
【実施例】
図１は本発明に係る簡易型帯を示す概略図であり、その内側を表している。同図の１は帯本体、２は帯姿、３ａ，３ｂは補助バンドを表し、帯本体１は一定幅で所定の長さを有し、その一部を折り返した長さ調整部４を設けている。該長さ調整部４は図２に示すように長さＬを折り返して縫い付けられ、胴回りが大きな人は該長さ調整部４の縫い目を解除して帯本体１を長くすることが出来る。
【０００９】
そして、帯本体１の一方側先端には補助バンド３ａが縫い付けられ、該補助バンド先端には連結金具５を取付けている。又、帯本体１の帯姿２が装着されている位置には、他の補助バンド３ｂが縫い付けられ、途中には長さ調整具６を有している。そこで、帯本体１を胴に装着する場合、両補助バンド３ａ，３ｂを巻付けて先端は連結金具５を介して互いに連結することが出来る。
【００１０】
そして、互いに連結される補助バンド３ａ，３ｂの締まり具合は長さ調整具６の位置を変えることで調整することが出来る。又、帯本体１の背中部には図２に断面を示しているように、長方形をした硬いパネル７が取付けられている。パネル７としては、弾性のあるプラスチック製板が使用され、帯本体１の内部に収容されている。
【００１１】
補助バンド３ａが連結されていない帯本体１の右側先端部には粘着テープ（マジックテープ）が内側に縫い付けられ、帯本体１の帯姿２が装着される箇所の表側には別の粘着テープ８ｂが縫い付けられている。従って、帯本体１を胴に巻き付ける場合には、一方の粘着テープ８ａが別の粘着テープ８ｂに粘着して帯本体１の一方側先端部が固定される。帯本体１の他方側先端は補助バンド３ａによって、補助バンド３ｂと連結・止着される。
【００１２】
図３は本発明に係る簡易型帯の装着手順を示している。帯姿２が背中に位置するようにして、両手で２本の補助バンド３ａ，３ｂの先端を摘んで連結金具５にて互いに連結する。同図は補助バンド３ａ，３ｂの先端を連結して胴に巻き付けた状態を示している。本発明の簡易型帯は、基本的には補助バンド３ａ，３ｂにて装着することが出来る。この際、胴回りの大きさに応じて長さ調整が行われるが、補助バンド３ａ，３ｂの先端が連結されることで実質的には該補助バンド３ａ，３ｂにて締め付けられる。
【００１３】
そして、このように補助バンド３ａ，３ｂが互いに連結されたならば、帯本体１の一方側先端部９を背中側へ回し、粘着テープ８ａを粘着テープ８ｂに固着して先端部９を固定する。補助バンド３，３ｂは伸縮性があって、体を動かしても緩むことはなく、又位置ズレすることもない。
【００１４】
以上述べたように、本発明の簡易型帯は帯本体に伸縮可能な補助バンドを取付け、該補助バンドにて締付け可能としたものであり、次のような効果を得ることが出来る。
【００１５】
【発明の効果】
本発明の簡易型帯は帯本体の一方側先端と背中に位置する箇所に伸縮可能な補助バンドを取付けているために、両補助バンドを胴に巻き付けて先端を連結することが出来る。従って、実質的には補助バンドにて帯が装着され、伸縮可能である為に体を動かし易く、又動かしても位置ズレしたり緩むことはない。そして、補助バンドを互いに連結したところで、帯本体の一方側先端部を背中へ回して粘着テープにて止め付けることが出来る。
【００１６】
このように、本発明の簡易型帯はベルトを締めるように手軽に、ワンタッチ方式で装着することが可能である。又、帯本体には長さ調整部が設けられている為に、胴周りが大きな人は、該長さ調整部の縫い目を解除して長くすることが出来る。そして背中には硬くて弾性のあるパネルが取付けられている為に帯姿が安定し、同時に普通の帯を締めたと同じ感覚が得られる。
【図面の簡単な説明】
【図１】本発明の簡易型帯の内側図。
【図２】図１のＡ−Ａ断面拡大図。
【図３】本発明の簡易型帯の装着手順を示している。
【符号の説明】
１  帯本体
２  帯姿
３  補助バンド
４  長さ調整部
５  連結金具
６  長さ調整具
７  パネル
８  粘着テープ
９  先端部
【図１】
2005054291.tif 000003
【図２】
2005054291.tif 000004
【図３】
2005054291.tif 000005